(57)【要約】【課題】連結されるカメラのホールド感や操作性を低下させることなく、外部バッテリ連結のためのカメラの無駄なスペースを少なくすることができ、また、カメラにしっかりと連結することができる外部バッテリ装置を提供する。【解決手段】外部バッテリ装置は、扁平箱型形状でその側面４ａ又は底面４ｅからバッテリ１００を電池収納室１０に挿入可能なボディ４を有するカメラ１，２，３のバッテリの挿入面４ａ，４ｅに着脱可能に取り付けられる。カメラ１，２，３に連結する側の連結面２３，２５がバッテリの挿入面４ａ，４ｅと略同形状で構成され、電池収納室１０に挿入されるバッテリ１００と略同形状のコネクタ２２と、カメラとの連結具２８，２８ａ，２８ｂとを有し、コネクタ２２には、電池収納室１０のバッテリ用端子１０ａ，１０ｂと連通する電源用端子２２ａ，２２ｂを有する。【選択図】図５
2004328592.tif 000002
【特許請求の範囲】
【請求項１】
扁平箱型形状で被写体方向の寸法が最も小さい形状であり、その側面又は底面から内部に収納されるバッテリを電池収納室に挿入可能に構成されたボディを有するカメラの前記バッテリの挿入面に着脱可能に取り付けられる外部バッテリ装置であって、
前記カメラに連結する側の連結面が前記バッテリの挿入面と略同形状で構成され、前記カメラの電池収納室に挿入可能に構成された前記バッテリと略同形状のコネクタと、前記カメラと連結する連結具とを有し、前記コネクタには、前記電池収納室の前記バッテリ用端子と連通する電源用端子を有することを特徴とする、外部バッテリ装置。
【請求項２】
前記カメラに所定の処理を実行させるための処理信号を発生する機能ブロックと、前記機能ブロックからの処理信号を前記カメラに伝送するための情報端子とをさらに備えることを特徴とする、請求項１に記載の外部バッテリ装置。
【請求項３】
前記情報端子は、前記コネクタに設けられ、前記カメラの電池収納室内に設けられた前記バッテリ用端子とは異なる信号用端子と連通するように構成されていることを特徴とする、請求項２に記載の外部バッテリ装置。
【請求項４】
前記カメラへの取りつけ時において、前記カメラの底面である前記バッテリの挿入面に設けられているクレードル用接続部に挿入可能なクレードル用コネクタを前記連結面に備え、前記連結面と対向する対向面に前記クレードル用接続部と同形状のクレードルコネクタ挿入部を備えることを特徴とする、請求項１から３のいずれか１つに記載の外部バッテリ装置。
【請求項５】
前記電池収容室の挿入口を閉鎖するカバーが、前記電池収納室の開放時に前記バッテリの挿入面に重なるように構成されているカメラに連結される外部バッテリ装置であって、
前記連結面の前記バッテリの挿入面に重ねられたカバーに対向する位置にカバー収納用くぼみが形成されていることを特徴とする、請求項１から４のいずれか１つに記載の外部バッテリ装置。
【発明の詳細な説明】
【０００１】
【発明の属する技術分野】
本発明は、カメラ、特に小型のデジタルスチルカメラ又はデジタルビデオカメラに連結され、前記カメラの電源として用いられる外部バッテリ装置に関する。
【０００２】
【従来の技術】
近年、小型のカメラが好まれることから、カメラを小型に構成するための技術が種々提案されている。例えば、カメラの構成部品であるバッテリを小型にすることによりカメラ全体を小さく構成することができる。
【０００３】
しかし、電池を小さくすると、電池の容量が小さくなり、長時間にわたって操作することが困難であった。よって、予備のバッテリを用意しておいたり、カメラの外部に着脱可能なバッテリ装置を追加して使用することが行われていた。
【０００４】
特開平１０−２６７９８号公報（特許文献１）や特開２０００−３５００７２号公報（特許文献２）には、そのような外部バッテリ装置についての開示がなされており、例えば、カメラの外部に装着する外部バッテリ装置をグリップ部に装着して、グリップを兼用するように構成されたカメラが開示されている。
【０００５】
【特許文献１】
特開平１０−２６７９８号公報
【特許文献２】
特開２０００−３５００７２号公報
【０００６】
【発明が解決しようとする課題】
しかし、このように、外部バッテリ装置を小型のカメラの装着すると、カメラの携帯性や収納性が低下し、また、カメラのグリップの形状などが変化し、操作性が低下するおそれがある。
【０００７】
また、外部バッテリ装置用の電源用端子をカメラの外部に備えておく必要があり、当該電源用端子用の収納スペースを必要とする。また、薄型のボディに外部バッテリ装置を装着する場合、両者間の固定強度を保つためには、ある程度の連結具が必要となり、当該スペースによりカメラを大きく構成せざるを得ない場合もある。
【０００８】
したがって、本発明が解決しようとする技術的課題は、連結されるカメラのホールド感や操作性を低下させることなく、また、外部バッテリ連結のためのカメラの無駄なスペースを少なくすることができ、また、カメラにしっかりと連結することができる外部バッテリ装置を提供することである。
【０００９】
【課題を解決するための手段】
本発明は、上記技術的課題を解決するために、以下の構成のカメラの外部バッテリ装置を提供する。
【００１０】
外部バッテリ装置は、扁平箱型形状で被写体方向の寸法が最も小さい形状であり、その側面又は底面から内部に収納されるバッテリを電池収納室に挿入可能に構成されたボディを有するカメラの前記バッテリの挿入面に着脱可能に取り付けられる。そして、前記カメラに連結する側の連結面が前記バッテリの挿入面と略同形状で構成され、前記カメラの電池収納室に挿入可能に構成された前記バッテリと略同形状のコネクタと、前記カメラと連結する連結具とを有し、前記コネクタには、前記電池収納室の前記バッテリ用端子と連通する電源用端子を有する。
【００１１】
上記構成において、外部バッテリ装置は、被写体方向の寸法、すなわち厚み方向に扁平な箱型のボディを有し、側面又は底面からバッテリを挿入して搭載するカメラに連結されるものである。外部バッテリ装置は、バッテリを電池収納室に挿入する面に連結して用いられる。
【００１２】
外部バッテリ装置は、カメラの電池収納室に挿入されるコネクタを備えており、カメラとの連結時において、当該コネクタを電池収納室に挿入し連結具により固定する。コネクタには、電源用端子が設けられている。電源用端子は、電池収納室にバッテリが収納されている場合のバッテリ用端子と接触する。
【００１３】
したがって、外部バッテリ装置のために特別の端子をカメラに設ける必要がない。また、外部バッテリ装置は、電池収納室にコネクタを差し込むことによりカメラと連結するため、その連結強度を確保することができる。また、外部バッテリ装置とカメラの挿入面とは、略同形状で構成されているため、カメラの寸法が幅方向又は高さ方向に伸びるだけであり、カメラのホールド性に影響を与えることが少なくてすむ。
【００１４】
本発明の第２態様によれば、前記カメラに所定の処理を実行させるための処理信号を発生する機能ブロックと、前記機能ブロックからの処理信号を前記カメラに伝送するための情報端子とをさらに備える外部バッテリ装置を提供する。
【００１５】
上記構成によれば、外部バッテリ装置に機能ブロックとしてカメラ操作のためのスイッチとこのための電気回路などを配置することができ、外部バッテリ装置を接続するカメラの機能を外部バッテリ装置に配置することができるため、カメラ自体を小さく構成することができる。
【００１６】
本発明の第３態様によれば、前記情報端子は、前記コネクタに設けられ、前記カメラの電池収納室内に設けられた前記バッテリ用端子とは異なる信号用端子と連通するように構成される前記第２態様の外部バッテリ装置を提供する。
【００１７】
上記構成によれば、情報端子をボディの外面に設ける必要がないため、電源用端子と同じ場所にコンパクトに構成することができると共に、デザイン的に優れたものとすることができる。
【００１８】
本発明の第４態様によれば、前記カメラへの取りつけ時において、前記カメラの底面である前記バッテリの挿入面に設けられているクレードル用接続部に挿入可能なクレードル用コネクタを前記連結面に備え、前記連結面と対向する対向面に前記クレードル用接続部と同形状のクレードルコネクタ挿入部を備える外部バッテリ装置を提供する。
【００１９】
上記構成によれば、外部バッテリ装置の連結の有無にかかわらず、クレードルに連結することができる。
【００２０】
本発明の第５態様によれば、前記電池収容室の挿入口を閉鎖するカバーが、前記電池収納室の開放時に前記バッテリの挿入面に重なるように構成されているカメラに連結される外部バッテリ装置であって、前記連結面の前記バッテリの挿入面に重ねられたカバーに対向する位置にカバー収納用くぼみが形成されている外部バッテリ装置を提供する。
【００２１】
上記構成によれば、カバー収納用くぼみにカバーが収まるため、外部バッテリ装置との連結においてカバーが邪魔になることなく、両者を連結させることができる。
【００２２】
【発明の実施の形態】
以下、本発明の各実施形態に係る外部バッテリ装置について、図面を参照しながら説明する。
【００２３】
まず、図１から図３を用いて本発明の第１実施形態にかかる外部バッテリ装置について説明する。図１は、本発明の第１実施形態にかかる外部バッテリ装置を連結するためのデジタルカメラの構成を示す図である。
【００２４】
このデジタルカメラ１は、厚み方向に扁平な箱型のボディ４に、屈曲撮影光学系５を搭載する。屈曲撮影光学系５は、カメラのボディ４の前面４ｂの右上に設けられた被写体光の入射口５ａを下方に屈曲させて撮像素子５６上で結像させるレンズ群などを鏡胴５０内に備えている。
【００２５】
レンズ群などは、入射口５ａのすぐ後に設けられている対物レンズ５１ａ、被写体光を屈曲させるためのプリズム５２、屈曲後の被写体光に沿って移動可能に設けられ、その位置が変化することで撮影光学系の焦点距離を調整可能に構成されているズームレンズ５３ａ，５３ｂ、撮像素子５６の撮像面に被写体像が合焦するように調整するフォーカスレンズ５５、モアレ防止のためのローパスフィルタ５７などが設けられている。また、２つのズームレンズ５３ａ，５３ｂの間には、シャッターユニット５４が設けられている。
【００２６】
デジタルカメラの上面４ｄには、レリーズボタン６が設けられている。レリーズボタン６を操作することにより、シャッターユニット５４が動作すると共に、ＣＣＤ５６の光電変換処理を開始する。
【００２７】
デジタルカメラ１の左側面４ａには、外部バッテリ装置固定用ネジ穴８及び、外部バッテリからの制御信号受信用の信号端子差込口９、カメラボディ４内に完全に収納されるバッテリの電池収納室１０の挿入口が設けられている。電池収納室１０の最奥側には、バッテリからの電源供給のためのバッテリ用端子１０ａ，１０ｂが設けられている。また、メモリーカード挿入口１１が電池収納室１０の背面側に設けられている（図２参照）。
【００２８】
本実施形態のデジタルカメラ１は、カメラの左側面側に外部バッテリ装置２０ａを脱着可能に固定することができるように構成されている。外部バッテリ装置２０ａは、カメラボディ４と同じ厚み、高さを有する筐体２１に図示しない２次電池を内蔵する。外部バッテリ装置２０ａは、その左側面に、固定用ネジ２８、デジタルカメラ１への制御信号を送信する信号端子２９、デジタルカメラへ内蔵する２次電池の電力を供給するためのコネクタ２２を備えている。
【００２９】
また、外部バッテリ装置２０ａの筐体２１の上面２５には、カメラと連結した場合の撮影動作を開始するためのレリーズボタン２６を備えている。
【００３０】
コネクタ２２は、概ね、電池収容室１０に収納されるバッテリと同じ寸法に構成されており、バッテリと対応する位置に電力供給用の電源用端子２２ａ，２２ｂが設けられている。外部バッテリ装置２０ａとデジタルカメラが連結する場合、当該コネクタ２２は、矢印７０に示すように、電池収容室１０に挿入され、先端に設けられた電源用端子２２ａ，２２ｂが電池収納室１０内のバッテリ用端子１０ａ，１０ｂと連通してデジタルカメラに電力を供給する。
【００３１】
信号端子２９は、デジタルカメラ１との連結時において、矢印７１にしめすようにデジタルカメラ１の信号端子差込口９に挿入されて、信号端子差込口９内の端子（図示なし）と連通する。信号端子差込口９内の端子は、デジタルカメラ１のＣＰＵに接続しており、外部バッテリ装置２０ａから出力された制御信号によってデジタルカメラ１の動作を可能にする。
【００３２】
固定用ネジ２８は、矢印７２に示すように、外部バッテリ装置２０ａをデジタルカメラ１に当接させ、固定用ネジ２８を回転させるための操作部（図示なし）を操作して、デジタルカメラ１の外部バッテリ装置固定用ネジ穴８に螺合する。これにより、外部バッテリ装置２０ａをデジタルカメラ１にしっかりと固定することができる。外部バッテリ装置２０は、上述のようにコネクタ２２が電池収納室１０に挿入されるように構成されているため、固定用ネジ２８が１箇所のみであっても、十分な接続強度を得ることができる。
【００３３】
図３は、外部バッテリ装置２０ａとデジタルカメラ１とが連結した状態を示す斜視図である。外部バッテリ装置２０ａは、デジタルカメラのボディと同じ厚みと高さ寸法を有しているため、図３に示すように、連結時においては、カメラ全体の寸法は、幅方向にのみ伸長する。また、外部バッテリ装置２０ａにレリーズボタンが設けられているため、そのレリーズ動作の操作性を損なうことが少ない。なお、外部バッテリ装置２０ａが接続されたことをデジタルカメラ１が検出すると、デジタルカメラの上面４ｄに設けられているレリーズボタン６を操作してもカメラのレリーズ動作が機能しないようにすることが好ましい。
【００３４】
次に図４及び図５を参照して、本発明の第２実施形態にかかる外部バッテリ装置について説明する。図４は、本発明の第２実施形態にかかる外部バッテリ装置を連結するデジタルカメラの構成を示す図である。
【００３５】
このデジタルカメラ２は、厚み方向に扁平な箱型のボディ４に、繰り出し型の撮影光学系５ｂを搭載する。この撮影光学系５ｂは、沈胴式の鏡胴を備え、撮影操作時において、沈胴位置から被写体側へ繰り出すように構成されている。
【００３６】
デジタルカメラ２の上面には、レリーズボタン６が設けられている。レリーズボタン６を操作することにより、図示しないＣＰＵから制御信号が発信し、シャッターユニットを動作させると共に、ＣＣＤの光電変換処理を開始する。
【００３７】
デジタルカメラ２の左側面４ａには、カメラボディ４内に完全に収納されるバッテリ１００の電池収納室１０の挿入口が設けられている。電池収納室１０の最奥側には、バッテリ１００からの電源供給のためのバッテリ用端子１０ａ，１０ｂ、及び、外部バッテリ装置２０ｂ（図５参照）が連結した場合に、当該コネクタ２２の先端に設けられる信号端子２９ａ〜２９ｄと接続する制御信号受信用の信号端子９ａ〜９ｄとが設けられている。
【００３８】
バッテリ用端子１０ａ，１０ｂは、バッテリ１００に設けられている電極端子１００ａ、１００ｂと接触してデジタルカメラ２に電源を供給するためのものである。バッテリ１００には、カメラの電池収納室１０の信号端子９ａ〜９ｄに対応する位置には端子が設けられておらず、外部バッテリ装置２０ｂが接続されている場合以外は信号端子９ａ〜９ｄはあらゆる端子と接触しないように構成されている。
【００３９】
デジタルカメラ２の電池収納室１０は、矢印７３で示すように、ボディ４の左側面側４ａからバッテリ１００を挿入、取り出しすることができるように構成されている。電池収納室１０の上下位置には、外部バッテリ装置２０ｂとデジタルカメラ２とを接続した状態に固定するためのコネクタ部８ａ，８ｂが、それぞれ設けられている。
【００４０】
バッテリ１００をデジタルカメラに収納して使用する場合は、当該電池収納室１０の開口部分を封鎖するカバー４ｘが設けられている。カバー４ｘは、バッテリ１００の取り出し時においては、矢印７４に示すように、ボディ４の左側面４ａに沿って上側にスライドし、電池収納室の開放時には、ボディ４の左側面４ａに重なるように構成されている。
【００４１】
本実施形態のデジタルカメラ２は、カメラの左側面側４ａに外部バッテリ装置２０ｂを脱着可能に固定することができるように構成されている。図５に示すように、外部バッテリ装置２０ｂは、カメラボディ４と同じ厚み、高さを有する筐体２１に図示しない２次電池を内蔵する。外部バッテリ装置２０ａは、その左側面に、デジタルカメラへ内蔵する２次電池の電力を供給するためのコネクタ２２を備えている。
【００４２】
また、筐体２１の上面２５には、カメラと連結した場合に用いられるレリーズボタン２６を備えている。また、筐体には、カメラと連結した場合に、スライドさせたカバー４ｘを収納可能に設けられたくぼみがカメラとの連結面２３に設けられており、図５（ｂ）に示すように、カバー４ｘが外部バッテリ装置２０ｂの連結の際に邪魔にならないように構成されている。
【００４３】
外部バッテリ装置２０ｂのコネクタ２２の先端には、電池収納室１０内のバッテリ用端子１０ａ，１０ｂに対応する電源用端子２２ａ，２２ｂと、カメラ側の信号端子９ａ〜９ｄに対応する信号端子２９ａ〜２９ｄとを備えている。信号端子２９ａ〜２９ｄは、外部バッテリ装置２０ｂのレリーズボタン２６などを操作した際に発信される情報信号をデジタルカメラ２へ送信するための端子である。
【００４４】
また、コネクタ２２には、電池収納室１０のコネクタ部８ａ，８ｂに対応する位置に、突部２８ａ，２８ｂが設けられており、カメラ２と外部バッテリ装置２０ａとが連結した場合に、コネクタ部８ａ，８ｂに係合することによって、外部バッテリ装置がデジタルカメラ２から外れないように構成されている。突部２８ａ，２８ｂは、外部バッテリ装置に設けられている操作部（図示なし）を操作することにより矢印７６に示すように、コネクタ２２内に収納可能に構成されており、収納することで外部バッテリ装置２０ｂをデジタルカメラ１から分離することができる。
【００４５】
なお、外部バッテリ装置２０ｂは、デジタルカメラ２のボディ４と同じ厚みと高さ寸法を有しているため、図５（ｂ）に示すように、連結時においては、カメラ全体の寸法は、幅方向にのみ伸長する。また、外部バッテリ装置２０ａにレリーズボタンが設けられているため、その操作性を損なうことが少ない。なお、外部バッテリ装置２０ｂが接続されたことをデジタルカメラ２が検出すると、デジタルカメラの上面４ｄに設けられているレリーズボタン６を操作してもカメラのレリーズ動作が機能しないようにすることが好ましい。
【００４６】
次に図６及び図７を参照して、本発明の第３実施形態にかかる外部バッテリ装置について説明する。図６は、本発明の第３実施形態にかかる外部バッテリ装置とデジタルカメラとの外観構成を示す図である。
【００４７】
このデジタルカメラ２は、厚み方向に扁平な箱型のボディ４を備えており、ＬＣＤ１２と電源スイッチ１３とが背面４ｃに、レリーズボタン６が上面に設けられている。
【００４８】
デジタルカメラ３の底面側４ｅには、外部バッテリ装置固定用ネジ穴（図示なし）及び、外部バッテリからの制御信号受信用のクレードルコネクタ挿入部１４（図７参照）、カメラボディ４に完全に収納されるバッテリの電池収納室１０の挿入口が設けられている。電池収納室１０の最奥側には、バッテリからの電源供給のためのバッテリ用端子１０ａ，１０ｂが設けられている。
【００４９】
クレードルコネクタ挿入部１４は、クレードル４０（図７参照）にデジタルカメラを載置した場合に、クレードルの差込穴４２に設けられた接続部４３と嵌合する位置に設けられている。
【００５０】
本実施形態にかかるデジタルカメラ３はカメラの底面側に外部バッテリ装置２０ｃを脱着可能に固定することができるように構成されている。外部バッテリ装置２０ｃは、カメラボディ４と同じ厚み、幅を有する筐体２１に図示しない２次電池を内蔵する。また、外部バッテリ装置２０ｃは、その上面２５に、固定用ネジ２８、デジタルカメラ３への制御信号を送信する信号端子２９、デジタルカメラへ内蔵する２次電池の電力を供給するためのコネクタ２２を備えている。
【００５１】
また、筐体２１の背面には、カメラと連結した場合にカメラの操作に用いるための十字スイッチ３０及びモード設定キー３１を備えている。
【００５２】
コネクタ２２は、概ね、電池収容室１０に収納されるバッテリと同じ寸法に構成されており、バッテリと対応する位置に電力供給用の電源用端子２２ａ，２２ｂが設けられている。外部バッテリ装置２０ａとデジタルカメラが連結する場合、当該コネクタ２２は、矢印７７に示すように、電池収容室１０に挿入され、先端に設けられた電源用端子２２ａ，２２ｂが電池収納室１０内のバッテリ用端子１０ａ，１０ｂと連通してデジタルカメラに電力を供給する。
【００５３】
信号端子２９は、デジタルカメラ３との連結時において、デジタルカメラ３のクレードルコネクタ挿入部１４に挿入されて、信号端子差込口１４内の端子（図示なし）と連通する。クレードルコネクタ挿入部１４内の端子は、デジタルカメラ１のＣＰＵに接続しており、十字スイッチ３０及びモード設定キー３１などの操作により外部バッテリ装置２０ｃから出力された制御信号がデジタルカメラに入力される。
【００５４】
固定用ネジ２８は、外部バッテリ装置２０ｃをデジタルカメラ３に当接させ、操作部（図示なし）を操作することにより回転して、デジタルカメラ３の外部バッテリ装置固定用ネジ穴に螺合する。これにより、外部バッテリ装置２０ｃをデジタルカメラ３にしっかりと固定することができる。外部バッテリ装置２０ｃは、上述のようにコネクタ２２が電池収納室１０にしっかりと挿入されるように構成されているため、固定用ネジ２８が１箇所のみであっても、十分な接続強度を得ることができる。
【００５５】
図７は、デジタルカメラとクレードル４０との連結を説明する図である。クレードル４０は、デジタルカメラを挿入するための挿入穴４０を備えており、デジタルカメラの下部を当該挿入穴に差し込むことによりクレードル４０とデジタルカメラとが接続する。
【００５６】
また、上述のように、当該デジタルカメラのボディ４と外部バッテリ装置２０ｃとの厚み及び幅寸法が共通であるため、外部バッテリ装置２０ｃもクレードル４０に差し込むことができる。すなわち、本実施形態にかかるデジタルカメラ３は、外部バッテリ装置２０ｃの連結の有無にかかわらず、クレードルに連結することができる。
【００５７】
デジタルカメラ３がクレードル上に載置された場合は、デジタルカメラ３の底面に設けられたクレードルコネクタ挿入部１４または、外部バッテリ装置２０ｃの底面に設けられた信号端子差込口３２がクレードル４０の接続部４３と嵌合する。
【００５８】
クレードル４０には、電源及び外部機器への接続のためのケーブルが設けられており、クレードルにデジタルカメラ３を載置することにより、クレードル４０の接続部４３を通して、バッテリ（内部バッテリ及び外部バッテリ装置に搭載されているバッテリ）が充電されると共に、デジタルカメラに格納されている画像情報を当該ケーブルに接続された外部機器に転送することができる。
【００５９】
以上説明したように、本発明の実施形態にかかるデジタルカメラは、バッテリの収納室に設けられている内蔵バッテリ用の電源用端子を用いて外部バッテリ装置から電源の供給を受けるため、カメラのボディに外部バッテリ装置用の端子を設ける必要がない。また、電池収納室にコネクタを挿入することによりカメラと外部バッテリ装置とを連結するため、その連結強度を強固にすることができる。
【００６０】
また、一般にボディ内に搭載される電池は、比較的大きな部材であるため、電池収納室及び外部バッテリ装置のコネクタに電源供給のための端子とは異なる情報用端子を設けておくだけのスペースを有する。このように、電池収納室及び外部バッテリ装置のコネクタに複数種類の端子を設けることにより、外部バッテリ装置からの情報を受信するための端子をボディの外面に設ける必要がなく、カメラの外観に与える影響を少なくすることができる。
【００６１】
なお、本発明は上記実施形態に限定されるものではなく、その他種々の態様で実施可能である。
【００６２】
例えば、上記各実施形態では、外部バッテリ装置はデジタルカメラの左側面又は底面に連結するように構成されているが、カメラの右側面に連結するように構成されていてもよい。
【００６３】
また、例えば、第２実施形態に示した電池収納室のカバーの退避方法は、上記実施形態に示したスライド式に限定されるものではなく、例えば、ヒンジなどを用いて、１８０度おり返すように構成することで、ボディの外壁（左側面）に重なるようにしてもよい。
【図面の簡単な説明】
【図１】本発明の第１実施形態にかかる外部バッテリ装置を連結するためのデジタルカメラの構成を示す図である。（ａ）は正面断面図、（ｂ）は左側面断面図である。
【図２】本発明の第１実施形態にかかる外部バッテリ装置とデジタルカメラとの外観構成を示す図である。
【図３】外部バッテリ装置２０ａとデジタルカメラ１とが連結した状態を示す斜視図である。
【図４】本発明の第２実施形態にかかる外部バッテリ装置を連結するデジタルカメラの構成を示す図である。
【図５】本発明の第２実施形態にかかる外部バッテリ装置とデジタルカメラとの連結の状態の説明図である。（ａ）は、連結位置を示す図であり、（ｂ）は、連結状態を示す図である。
【図６】本発明の第３実施形態にかかる外部バッテリ装置とデジタルカメラとの外観構成を示す図である。
【図７】デジタルカメラとクレードルとの連結を説明する図である。
【符号の説明】
１，２，３  デジタルカメラ
４  ボディ
４ａ  左側面（バッテリの挿入面）
４ｅ  底面（バッテリの挿入面）
５  屈曲光学系
６  レリーズボタン
８  ネジ穴
９  信号端子差込口
１０  電池収納室
１４  クレードルコネクタ挿入部
２０ａ〜２０ｃ  外部バッテリ装置
２１  筐体
２２  コネクタ
２２ａ，２２ｂ  電源用端子
２３，２５  連結面
２６  レリーズボタン
２８  固定用ネジ（連結具）
２８ａ，２８ｂ  突部（連結具）
２９  信号端子
４０  クレードル
【図１】
2004328592.tif 000003
【図２】
2004328592.tif 000004
【図３】
2004328592.tif 000005
【図４】
2004328592.tif 000006
【図５】
2004328592.tif 000007
【図６】
2004328592.tif 000008
【図７】
2004328592.tif 000009